(57)【要約】【課題】無線照度センサの上に物が置かれて照度値が正しく検出できない場合であっても適切に照明制御を行える照明制御システムを提供することである。【解決手段】無線照度センサ１４は、照度を検出するセンサ部１５を有し、所定の検出周期でセンサ部１５から照度を検出し、検出した照度値を検出周期ごとに通信部１６を介して無線送信する。点灯制御装置１３は、無線照度センサ１４で検出した照度値が目標値になるように照明器具１１を点灯制御し、修正制御部１９は、無線照度センサ１４のセンサ部１５で検出した照度値が目標値未満であり、点灯制御装置１３が調光制御を行った後の次の検出周期での無線照度センサ１４のセンサ部１５により検出された照度値が所定の範囲を越える変化をしない場合には、１周期前の照明制御状態に戻す点灯制御指令を出力する。【選択図】図１
2010027418.tif 000002
【特許請求の範囲】
【請求項１】
照度を検出するセンサ部を有し、所定の検出周期で前記センサ部から照度を検出し、検出した照度値を検出周期ごとに通信部を介して無線送信する無線照度センサと；
前記無線照度センサで検出した照度値が目標値になるように照明器具を点灯制御する点灯制御装置と；
前記無線照度センサのセンサ部で検出した照度値が目標値未満であり、前記点灯制御装置が調光制御を行った後の次の検出周期での前記無線照度センサのセンサ部により検出された照度値が所定の範囲を越える変化をしない場合には、１周期前の照明制御状態に戻す点灯制御指令を出力する修正制御部と；
を備えたことを特徴とする照明制御システム。
【請求項２】
前記修正制御部は、前記点灯制御装置に設けられたことを特徴とする請求項１記載の照明制御システム。
【請求項３】
前記修正制御部は、前記無線照度センサに設けられ、前記通信部は、前記センサ部で検出された照度値に代えて、前記修正制御部で求めた点灯制御指令を出力することを特徴とする請求項１記載の照明制御システム。
【請求項４】
前記点灯制御装置は、前記無線照度センサのセンサ部で検出した照度値が目標値未満であるときは、前記照明器具の光出力を徐々に上昇させることを特徴とする請求項１乃至３のいずれか一記載の照明制御システム。
【請求項５】
前記無線照度センサは、所定の検出周期ごとに所定の短時間の間隔で２回にわたって前記センサ部から照度を検出し、前記修正制御部は、前記無線照度センサのセンサ部で１回目に検出した照度値が目標値未満であり、１回目に検出した照度値と２回目に検出した照度値との照度差が所定の範囲を越える変化をしない場合には、前記点灯制御装置に１回目の照度値に戻す点灯制御指令を出力することを特徴とする請求項１乃至４のいずれか一記載の照明制御システム。
【発明の詳細な説明】
【技術分野】
【０００１】
本発明は、無線照度センサを設置した受光位置の照度が目標値となるように照明器具の点灯状態を制御する照明制御システムに関する。
【背景技術】
【０００２】
近年、オフィスなどにおいて用いられる照明制御システムでは、照度センサを利用し、照度センサの検出値が目標照度になるように照明器具を調光制御することによって、昼光を利用した省エネルギーな照明制御が行われている。このような照明制御システムでは、天井面に照度センサが設けられ床面や机上面等からの反射光を検出している。このため、例えば机上面の反射率が変化すると検出する照度値が変化してしまい、机上面を所望の照度にすることができなくなる。
【０００３】
一方、照度センサを具備したリモコン装置によって、照明制御を行う方法が知られている（例えば、特許文献１、２参照）。このリモコン装置は、照度センサで測定した照度と予め設定された目標照度とを比較し、所望の照度となるような照明制御信号を照明器具に無線で送信するものである。このように、リモコン装置で検出した照度検出値で照明制御を行うことができるため、例えばリモコン装置を机上面に載置しておけば、机上面の反射率に依存することなく机上面照度を一定に制御することができる。
【特許文献１】特開平２−１８９８９２号公報
【特許文献２】特開平１１−２８３７５５号公報
【発明の開示】
【発明が解決しようとする課題】
【０００４】
しかしながら、特許文献１、２のリモコン装置は、通常は机上に置かれるため、その上に物が置かれると、照度センサが検知した照度は実際の照度よりはるかに低いものとなる。照明制御システムは、照度センサで検出された照度が目標照度となるように制御するので、照明制御システムは全光制御を行うことになり、省エネルギーの趣旨に反することになる。
【０００５】
本発明の目的は、無線照度センサの上に物が置かれて照度値が正しく検出できない場合であっても適切に照明制御を行える照明制御システムを提供することである。
【課題を解決するための手段】
【０００６】
請求項１の発明に係わる照明制御システムは、照度を検出するセンサ部を有し、所定の検出周期で前記センサ部から照度を検出し、検出した照度値を検出周期ごとに通信部を介して無線送信する無線照度センサと；前記無線照度センサで検出した照度値が目標値になるように照明器具を点灯制御する点灯制御装置と；前記無線照度センサのセンサ部で検出した照度値が目標値未満であり、前記点灯制御装置が調光制御を行った後の次の検出周期での前記無線照度センサのセンサ部により検出された照度値が所定の範囲を越える変化をしない場合には、１周期前の照明制御状態に戻す点灯制御指令を出力する修正制御部と；を備えたことを特徴とする。
【０００７】
本発明及び以下の発明において用語の定義及び技術的意味は以下による。検出周期とは、無線照度センサのセンサ部が照度を検出する周期であり、目標値に対する周囲の有意な照度変化が生じ得る時間幅が設定される。例えば、秒単位、分単位、時間単位の周期であり、通常は、数分単位の周期である。
【０００８】
修正制御部とは、無線照度センサの上に物が置かれて照度値が正しく検出できない場合に、点灯制御装置により照度値が目標値になるように制御した後の状態を元の状態に戻すものである。点灯制御装置が調光制御を行った後の次の検出周期とは、無線照度センサのセンサ部で検出した照度値が目標値未満である検出周期の次の検出周期である。無線照度センサのセンサ部により検出された照度値が所定の範囲を越える変化をしない場合とは、点灯制御装置により照度値が目標値になるように調光制御を行った後の照度値が目標値近傍の範囲とならない場合をいう。１周期前の照明制御状態とは、点灯制御装置による調光制御を行う前の照明制御状態である。
【０００９】
請求項２の発明に係わる照明制御システムは、請求項１の発明において、前記修正制御部は、前記点灯制御装置に設けられたことを特徴とする。
【００１０】
本発明は、修正制御部を点灯制御装置に組み込んで構成したものである。
【００１１】
請求項３の発明に係わる照明制御システムは、請求項１の発明において、前記修正制御部は、前記無線照度センサに設けられ、前記通信部は、前記センサ部で検出された照度値に代えて、修正制御部で求めた点灯制御指令を出力することを特徴とする。
【００１２】
本発明は、修正制御部を無線照度センサに組み込んで構成し、それに伴い、通信部は修正制御部で求めた点灯制御指令を出力するようにしたものである。
【００１３】
請求項４の発明に係わる照明制御システムは、請求項１乃至３のいずれか一の発明において、前記点灯制御装置は、前記無線照度センサのセンサ部で検出した照度値が目標値未満であるときは、前記照明器具の光出力を徐々に上昇させることを特徴とする。
【００１４】
「照明器具の光出力を徐々に上昇させる」とは、無線照度センサが次の検出周期で検出する照度が目標値になるように照明器具の出力を線形または段階的に上昇させることを言う。
【００１５】
請求項５の発明に係わる照明制御システムは、請求項１乃至４のいずれか一の発明において、前記無線照度センサは、所定の検出周期ごとに所定の短時間の間隔で２回にわたって前記センサ部から照度を検出し、前記修正制御部は、前記無線照度センサのセンサ部で１回目に検出した照度値が目標値未満であり、１回目に検出した照度値と２回目に検出した照度値との照度差が所定の範囲を越える変化をしない場合には、前記点灯制御装置に１回目の照度値に戻す点灯制御指令を出力することを特徴とする。
【００１６】
所定の短時間の間隔とは、検出周期よりも短い時間間隔である。２回にわたってセンサ部から照度を検出し」とは、所定の検出周期で１回目の照度を検出し、１回目の照度を検出してから所定の短時間後に２回目の照度を検出することをいう。
【発明の効果】
【００１７】
請求項１の発明によれば、点灯制御装置が調光制御を行った後の次の検出周期での無線照度センサのセンサ部により検出された照度値が所定の範囲を越える変化をしない場合には、修正制御部は、１周期前の照度値に戻す点灯制御を行うので、無線照度センサの上に物が置かれている場合に、点灯制御装置がむだに照明器具の出力を上昇させることを防止できる。
【００１８】
請求項２の発明によれば、修正制御部は点灯制御装置に組み込まれて設けられるので、無線照度センサは検出した照度値を無線送信するだけでよいので、安価な無線照度センサでよく、無線照度センサが消費する電力も少なくできる。
【００１９】
請求項３の発明によれば、修正制御部は無線照度センサに組み込まれて設けられるので、無線照度センサは、修正制御部で求めた点灯制御指令を出力するだけでよいので、無線送信する信号を簡素化できる。
【００２０】
請求項４の発明によれば、無線照度センサのセンサ部で検出した照度値を目標値になるように照明器具の光出力を徐々に上昇させるので、照明器具の照度が急激に変化することを抑制できる。
【００２１】
請求項５の発明によれば、点灯制御装置が調光制御を行った際に、所定の検出周期ごとに短時間をおいて２回にわたってセンサ部から照度を検出し、１回目に検出した照度値と２回目に検出した照度値との照度差が所定の範囲を越える変化をしない場合には、修正制御部は１回目の照度値に戻す点灯制御指令を出力するので、無線照度センサの上に物が置かれている場合に、所定の検出周期を待たずして早期に１回目の照度値に戻すことができる。これにより、点灯制御装置がむだに照明器具の出力を上昇させることを防止できる。
【発明を実施するための最良の形態】
【００２２】
図１は本発明の実施の形態に係わる照明制御システムの構成図である。照明器具１１は伝送線１２に接続され、伝送線１２には照明器具１１の点灯制御を行う点灯制御装置１３が接続されている。無線照度センサ１４は、周囲の照度を検出するセンサ部１５を有し、センサ部１５は所定の検出周期で照度を検出し、検出した照度値を検出周期ごとに通信部１６を介して無線送信する。無線照度センサ１４の通信部１６から無線送信された照度は受信器１７で受信され、点灯制御装置１３の点灯制御部１８及び修正制御部１９に入力される。図１では、修正制御部１９は点灯制御装置１３内に組み込んで形成した場合を示しているが、点灯制御装置１３の外に独立して設けるようにしてもよい。修正制御部１９を独立して設ける場合には、点灯制御部１８が点灯制御装置１３そのものとなる。
【００２３】
点灯制御装置１３の点灯制御部１８は、無線照度センサ１４のセンサ部１５で検出された照度値が目標値になるように照明器具１１を点灯制御する。一方、修正制御部１９は、無線照度センサ１４のセンサ部１５で検出した照度値が目標値未満であるときは、次の検出周期において、無線照度センサ１４により検出された照度値が所定の範囲を越える変化をしたか否かを判定する。すなわち、修正制御部１９は、点灯制御装置１３の点灯制御部１８が調光制御を行った後の次の検出周期での無線照度センサ１４により検出された照度値が所定の範囲を越える変化をしたか否かを判定し、所定の範囲を越える変化をしない場合には、無線照度センサ１４の上に物が置かれていると判断し、１周期前の照度値に戻す点灯制御指令を出力する。また、その場合には、警報器２０に警報を出力し、無線照度センサ１４の上に物が置かれていることを報知する。警報器２０は、音声出力装置や光による表示手段等を用いることができる。
【００２４】
図２は本発明の実施の形態に係わる照明制御システムの動作を示すタイムチャートである。無線照度センサ１４のセンサ部１５は所定の検出周期Ｔで周囲の照度を検出する。図２では、時点ｔ１、ｔ２、ｔ３、ｔ４で照度を検出した場合を示している。
【００２５】
いま、時点ｔ１で無線照度センサ１４が検出した照度値Ｌが目標値Ｌ０より小さい照度値Ｌ１であったとする。点灯制御装置１３の点灯制御部１８は、無線照度センサ１４が検出した照度値Ｌが目標値Ｌ０より小さい照度値Ｌ１であるので、照明器具１１の光出力Ｍが現在の光出力Ｍ１よりΔＭ１だけ大きい光出力Ｍ２になるように、照明器具１１の光出力Ｍを増加させる制御を行う。この光出力増分ΔＭ１は、光出力Ｍを増加させた場合に人間に照度変化を感じさせない程度の大きさである。例えば、現在の光出力Ｍ１の５％〜１０％程度の大きさである。  また、修正制御部１９は、無線照度センサ１４が検出した照度値Ｌが目標値Ｌ０より小さい照度値Ｌ１であるので、次の検出周期（時点ｔ２）において、次の検出周期（時点ｔ２）での無線照度センサ１４により検出された照度値が所定の範囲を越える変化をしたか否かを判定することになる。判断基準となる所定の範囲は光出力増分ΔＭ１より小さい範囲である。
【００２６】
次の検出周期の時点ｔ２においては、無線照度センサ１４が検出した照度値Ｌが目標値Ｌ０と等しい照度値Ｌ２であったとする。そうすると、点灯制御装置１３の点灯制御部１８は、無線照度センサ１４が検出した照度値Ｌ２は目標値Ｌ０と等しいので、照明器具１１の光出力Ｍを増加させる制御は行わない。
【００２７】
一方、修正制御部１９は、無線照度センサ１４により検出された照度値Ｌ２が前回の検出周期（時点ｔ１）の照度値Ｌ１と比較して所定の範囲を越える変化をしたか否かを判定する。前回の検出周期（時点ｔ１）で無線照度センサ１４が検出した照度値Ｌ１は目標値Ｌ０より小さく、今回の検出周期（時点ｔ２）で無線照度センサ１４が検出した照度値Ｌ２は目標値Ｌ０と等しく、その変化範囲はΔＭ１であるので、修正制御部１９は所定の範囲を超えた変化であると判定する。従って、修正制御装置１９は、１周期前の照度値に戻す点灯制御指令の出力はしない。
【００２８】
次に、時点ｔ３で無線照度センサ１４が検出した照度値Ｌが目標値Ｌ０より小さい照度値Ｌ３であったとする。点灯制御装置１３の点灯制御部１８は、無線照度センサ１４が検出した照度値Ｌが目標値Ｌ０より小さい照度値Ｌ３であるので、照明器具１１の光出力Ｍが現在の光出力Ｍ２よりΔＭ２だけ大きい光出力Ｍ３になるように、照明器具１１の光出力Ｍを増加させる制御を行う。この光出力増分ΔＭ２は、光出力Ｍを増加させた場合に人間に照度変化を感じさせない程度の大きさである。例えば、現在の光出力Ｍ２の５％〜１０％程度の大きさである。
【００２９】
また、修正制御部１９は、無線照度センサ１４が検出した照度値Ｌが目標値Ｌ０より小さい照度値Ｌ３であるので、次の検出周期（時点ｔ４）において、次の検出周期（時点ｔ４）での無線照度センサ１４により検出された照度値が所定の範囲を越える変化をしたか否かを判定することになる。判断基準となる所定の範囲は光出力増分ΔＭ２より小さい範囲である。
【００３０】
次の検出周期の時点ｔ４においては、無線照度センサ１４が検出した照度値Ｌが目標値Ｌ０より小さい照度値Ｌ４であったとする。そうすると、点灯制御装置１３の点灯制御部１８は、無線照度センサ１４が検出した照度値Ｌ４は目標値Ｌ０より小さいので、さらに光出力ΔＭ３だけ大きい光出力Ｍ４になるように、照明器具１１の光出力Ｍを増加させる制御を行おうとする。しかし、修正制御部１９は、無線照度センサ１４により検出された照度値Ｌ４が前回の検出周期（時点ｔ３）の照度値Ｌ３と比較して、所定の範囲を越える変化をしていないので、点灯制御部１８に対し、１周期前の照度値に戻す点灯制御指令を出力するとともに、その旨を警報器２０に出力する。これにより、照明器具１１の光出力Ｍは、１周期前の光出力Ｍ２となる。
【００３１】
このように、無線照度センサ１４で検出する照度値が極端に低く（例えば２０ｌｘ以下）なって、点灯制御装置１３の点灯制御部１８が照明器具１１の調光度を高くした後も、検出した照度値がほぼ変化しない場合、無線照度センサ１４の上に本などの物が置かれたと判断し、光出力Ｍを元の制御状態に戻し、音声や光などの手段で使用者にその旨を通知する。
【００３２】
以上の説明では、無線照度センサ１４は、所定の検出周期Ｔごとにセンサ部１５から照度を検出するようにしたが、図３に示すように、所定の検出周期Ｔごとに所定の短時間Δｔの間隔で２回にわたってセンサ部１５から照度を検出するようにしてもよい。そして、修正制御部１９は、無線照度センサ１４のセンサ部１５で１回目に検出した照度値Ｌが目標値Ｌ０未満であり、１回目に検出した照度値と２回目に検出した照度値との照度差が所定の範囲を越える変化をしない場合には、点灯制御装置１３に１回目の照明制御状態に戻す点灯制御指令を出力する。
【００３３】
図３において、検出周期Ｔの時点ｔ１で１回目に無線照度センサ１４が検出した照度値Ｌが目標値Ｌ０より小さい照度値Ｌ１１であったとする。点灯制御装置１３の点灯制御部１８は、無線照度センサ１４が検出した照度値Ｌが目標値Ｌ０より小さい照度値Ｌ１であるので、照明器具１１の光出力Ｍが現在の光出力Ｍ１よりΔＭ１だけ大きい光出力Ｍ２になるように、照明器具１１の光出力Ｍを増加させる制御を行う。この光出力増分ΔＭ１は、図２に示した場合と同様に、光出力Ｍ１を増加させた場合に人間に照度変化を感じさせない程度の大きさである。例えば、現在の光出力Ｍ１の５％〜１０％程度の大きさである。
【００３４】
次に、修正制御部１９は、無線照度センサ１４のセンサ部１５で１回目に検出した照度値Ｌ１１が目標値Ｌ０未満であるので、時点ｔ１の所定の短時間Δｔ後の時点ｔ１＋Δｔにおいて、１回目に検出した照度値Ｌ１１と２回目に無線照度センサ１４が検出した照度値Ｌ１２とを比較し、１回目に検出した照度値Ｌ１１が所定の範囲を越える変化をしたか否かを判定する。この判断基準となる所定の範囲は、図２の場合と同様に、光出力増分ΔＭ１より小さい範囲である。いま、２回目に無線照度センサ１４が検出した照度値Ｌ１２が目標値Ｌ０とほぼ等しいとすると、時点ｔ１＋Δｔにおいては、所定の範囲を超えた変化をしているので、修正制御部１９は、点灯制御装置１３の点灯制御部１８に１回目の照度値Ｌ１１に戻す点灯制御指令は出力しない。
【００３５】
次の検出周期の時点ｔ２において、無線照度センサ１４が１回目に検出した照度値Ｌ２１が目標値Ｌ０と等しい照度値Ｌ２１であったとする。そうすると、点灯制御装置１３の点灯制御部１８は、無線照度センサ１４が検出した照度値Ｌ２１は目標値Ｌ０にほぼ等しいので、照明器具１１の光出力Ｍを増加させる制御は行わない。一方、修正制御部１９は、無線照度センサ１４により１回目に検出された照度値Ｌ２１が目標値Ｌ０にほぼ等しいので、１回目に検出した照度値と２回目に検出した照度値との照度差が所定の範囲を越える変化をしたか否かの判定は行わない。従って、点灯制御装置１３の点灯制御部１８に１回目の照度値Ｌ２１に戻す点灯制御指令は出力しない。
【００３６】
次の検出周期の時点ｔ３において、無線照度センサ１４が１回目に検出した照度値Ｌ３１が目標値Ｌ０より小さい照度値Ｌ３１であったとする。そうすると、点灯制御装置１３の点灯制御部１８は、無線照度センサ１４が検出した照度値Ｌ３１は目標値Ｌ０未満であるので、照明器具１１の光出力Ｍが現在の光出力Ｍ２よりΔＭ２だけ大きい光出力Ｍ３になるように、照明器具１１の光出力Ｍを増加させる制御を行う。この光出力増分ΔＭ２も、図２に示した場合と同様に、光出力Ｍ２を増加させた場合に人間に照度変化を感じさせない程度の大きさである。例えば、現在の光出力Ｍ２の５％〜１０％程度の大きさである。
【００３７】
次に、修正制御部１９は、無線照度センサ１４のセンサ部１５で１回目に検出した照度値Ｌ３１が目標値Ｌ０未満であるので、時点ｔ３の所定の短時間Δｔ後の時点ｔ３＋Δｔにおいて、１回目に検出した照度値Ｌ３１と２回目に無線照度センサ１４が検出した照度値Ｌ３２とを比較し、１回目に検出した照度値Ｌ３１が所定の範囲を越える変化をしたか否かを判定する。この判断基準となる所定の範囲は、図２の場合と同様に、光出力増分ΔＭ２より小さい範囲である。いま、２回目に無線照度センサ１４が検出した照度値Ｌ３２が１回目に無線照度センサ１４が検出した照度値Ｌ３１とほぼ等しいとすると、時点ｔ３＋Δｔにおいては、所定の範囲を超えた変化をしていないので、修正制御部１９は、点灯制御装置１３の点灯制御部１８に１回目の照度値Ｌ３１になるように照明制御状態を戻す点灯制御指令を出力するとともに、その旨を警報器２０に出力する。これにより、照明器具１１の光出力Ｍは、１回目の光出力Ｍ２となる。
【００３８】
次の検出周期の時点ｔ４において、無線照度センサ１４が１回目に検出した照度値Ｌ４１が目標値Ｌ０より小さい照度値Ｌ４１であったとする。そうすると、点灯制御装置１３の点灯制御部１８は、無線照度センサ１４が検出した照度値Ｌ４１は目標値Ｌ０未満であるので、照明器具１１の光出力Ｍが現在の光出力Ｍ２よりΔＭ２だけ大きい光出力Ｍ３になるように、照明器具１１の光出力Ｍを増加させる制御を行う。
【００３９】
次に、修正制御部１９は、無線照度センサ１４のセンサ部１５で１回目に検出した照度値Ｌ４１が目標値Ｌ０未満であるので、時点ｔ４の所定の短時間Δｔ後の時点ｔ４＋Δｔにおいて、１回目に検出した照度値Ｌ４１と２回目に無線照度センサ１４が検出した照度値Ｌ４２とを比較し、１回目に検出した照度値Ｌ４１が所定の範囲を越える変化をしたか否かを判定する。この判断基準となる所定の範囲は、図２の場合と同様に、光出力増分ΔＭ２より小さい範囲である。いま、２回目に無線照度センサ１４が検出した照度値Ｌ４２が１回目に無線照度センサ１４が検出した照度値Ｌ４１とほぼ等しいとすると、時点ｔ４＋Δｔにおいては、所定の範囲を超えた変化をしていないので、修正制御部１９は、点灯制御装置１３の点灯制御部１８に１回目の照度値Ｌ４１になるように照明制御状態を戻す点灯制御指令を出力するとともに、その旨を警報器２０に出力する。これにより、照明器具１１の光出力Ｍは、１回目の光出力Ｍ２となる。
【００４０】
このように、点灯制御装置１３の点灯制御部１８が調光制御を行った際に、所定の検出周期Ｔごとに短時間Δｔをおいて２回にわたってセンサ部１５から照度を検出し、１回目に検出した照度値と２回目に検出した照度値との照度差が所定の範囲を越える変化をしない場合には、修正制御部１９は１回目の照度値になるように照明制御状態を戻す点灯制御指令を出力するので、無線照度センサ１４の上に物が置かれている場合に、所定の検出周期Ｔを待たずして早期に１回目の照度値になるように照明制御状態を戻すことができる。これにより、点灯制御装置１３がむだに照明器具１１の出力を上昇させることを防止できる。
【００４１】
ここで、点灯制御装置１３の点灯制御部１８は、無線照度センサ１４のセンサ部１５で検出した照度値Ｌが目標値Ｌ０未満であるときは、照明器具１１の光出力Ｍをステップ状にΔＭだけ増加させるようにしたが、図４に示すように、徐々に上昇させるようにしてもよい。図４（ａ）は、時点ｔ１〜時点ｔ２の１検出周期の間で線形に増加させる場合を示し、図４（ｂ）は時点ｔ１〜時点ｔ２の１検出周期の間において階段状に段階的に増加させる場合を示している。これにより、光出力を上げる場合および修正制御部１９によって照明制御状態を戻す場合に照明器具１１の照度が急激に変化することを抑制できる。
【００４２】
以上の説明では、修正制御部１９は点灯制御装置１３内に組み込んで形成した場合、あるいは、点灯制御装置１３の外に独立して設けるようにした場合について説明したが、図５に示すように、修正制御部１９を無線照度センサ１４に組み込み込んで設けるようにしてもよい。
【００４３】
この場合、通信部１６は、センサ部１５で検出された照度値に代えて、修正制御部１９で求めた点灯制御指令を出力することになる。このことから、無線照度センサ１４は、修正制御部１９で求めた点灯制御指令を出力するだけでよいので、無線送信する信号を簡素化できる。
【００４４】
本発明の実施の形態によれば、点灯制御装置１３が調光制御を行った後の次の検出周期での無線照度センサ１４のセンサ部１５により検出された照度値が所定の範囲を越える変化をしない場合には、修正制御部１９は、１周期前の照度値に戻す点灯制御を行うので、  無線照度センサ１４の上に物が置かれて、無線照度センサ１４により照度値が正しく検出できない場合であっても適切な制御を行うことができる。これにより、無線照度センサ１４の上に物が置かれている場合であっても、点灯制御装置１３がむだに照明器具１１の出力を上昇させることを防止できる。
【００４５】
また、修正制御部１９を点灯制御装置１３に組み込んだ場合には、無線照度センサ１４は検出した照度値を無線送信するだけでよいので、安価な無線照度センサでよく、無線照度センサ１４が消費する電力も少なくできる。一方、修正制御部１９を無線照度センサ１４に組み込んだ場合には、無線照度センサ１４は、修正制御部１９で求めた点灯制御指令を出力するだけでよいので、無線送信する信号を簡素化できる。
【００４６】
また、無線照度センサ１４のセンサ部１５で検出した照度値を目標値になるように照明器具１１の光出力を徐々に上昇させる場合には、照明器具１１の被照射領域である例えば机上面の照度が急激に変化することを抑制できる。さらに、点灯制御装置が調光制御を行った際に、所定の検出周期ごとに短時間をおいて２回にわたってセンサ部から照度を検出する場合には、無線照度センサ１４の上に物が置かれている場合に、所定の検出周期Ｔを待たずして早期に１回目の照度値に戻すことができる。これにより、点灯制御装置１３がむだに照明器具１１の出力を上昇させることを防止できるとともに、机上面における照明器具１１によるむだな照度変化を抑制することができる。
【図面の簡単な説明】
【００４７】
【図１】本発明の実施の形態に係わる照明制御システムの一例の構成図。
【図２】本発明の実施の形態に係わる照明制御システムの動作の一例を示すタイムチャート。
【図３】本発明の実施の形態に係わる照明制御システムの動作他の一例を示すタイムチャート。
【図４】本発明の実施の形態で照明器具の光出力を増加させる場合の一例を示す波形図。
【図５】本発明の実施の形態に係わる照明制御システムの他の一例の構成図。
【符号の説明】
【００４８】
１１…照明器具、１２…伝送線、１３…点灯制御装置、１４…無線照度センサ、１５…センサ部、１６…通信部、１７…受信器、１８…点灯制御部、１９…修正制御部、２０…警報器
【図１】
2010027418.tif 000003
【図２】
2010027418.tif 000004
【図３】
2010027418.tif 000005
【図４】
2010027418.tif 000006
【図５】
2010027418.tif 000007